【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
複数のコンテンツを集合化してディスク状記録媒体へ記録し、またディスク状記録媒体に集合化して記録された複数のコンテンツを再生する記録再生装置において、
上記ディスク状記録媒体へ記録すべきコンテンツを集合化させたグループの作成を指示するためのグループ指示手段と、
上記ディスク状記録媒体へのコンテンツの記録を指示するための記録指示手段と、
上記グループ指示手段並びに上記記録指示手段を介した操作に基づき、上記ディスク状記録媒体へのコンテンツの記録を制御する記録制御手段とを備え、
上記記録制御手段は、ディスク状記録媒体に記録されているコンテンツの再生停止時において、上記グループ指示手段と上記記録指示手段が同時に操作された場合、或いは上記グループ指示手段が操作された後、所定時間内に上記記録指示手段が操作された場合には、上記再生停止しているコンテンツの属するグループ内に上記記録すべきコンテンツを当該グループ終端位置から追加するように記録すること
を特徴とする記録再生装置。
【請求項２】
上記記録制御手段は、ディスク状記録媒体に記録されているコンテンツの再生停止時において、上記グループ指示手段と上記記録指示手段が同時に操作された場合、或いは上記グループ化指定手段が操作された後、所定時間内に上記記録指示手段が操作された場合であって、かつ上記再生停止しているコンテンツがいかなるグループに属していない場合には、上記記録すべきコンテンツを新たに集合化させたグループを作成するように記録すること
を特徴とする請求項１記載の記録再生装置。
【請求項３】
上記記録制御手段は、ディスク状記録媒体に記録されているコンテンツの再生停止時において、上記記録指示手段が操作された場合には、上記ディスク状記録媒体に記録されているコンテンツの終端位置から、上記記録すべきコンテンツを新たに集合化させたグループを作成するように記録すること
を特徴とする請求項１記載の記録再生装置。
【請求項４】
上記記録制御手段は、ディスク状記録媒体に記録されているコンテンツの再生／記録一時停止時において、上記記録指示手段が操作された場合、或いは上記グループ指示手段と上記記録指示手段が同時に操作された場合であって、かつ上記再生一時停止しているコンテンツがいかなるグループに属していない場合には、上記再生一時停止位置に上記記録すべきコンテンツを挿入しつつ新たにグループを作成するように記録すること
を特徴とする請求項１記載の記録再生装置。
【請求項５】
上記再生一時停止しているコンテンツがグループに属している場合には、上記記録すべきコンテンツを当該グループ内における上記再生一時停止位置に挿入するように記録すること
を特徴とする請求項４記載の記録再生装置。
【請求項６】
上記グループ指示手段並びに上記記録指示手段を介した操作に基づいて、表示内容を切り換える表示制御手段をさらに備えること
を特徴とする請求項１記載の記録再生装置。
【請求項７】
複数のコンテンツを集合化してディスク状記録媒体へ記録し、またディスク状記録媒体に集合化して記録された複数のコンテンツを再生する記録再生装置において、
上記ディスク状記録媒体へ記録すべきコンテンツを集合化させたグループを作成するためのグループ指示手段と、
上記ディスク状記録媒体へのコンテンツの記録を指示するための記録指示手段と、
少なくとも当該記録再生装置におけるコンテンツの記録を含む各動作に対応する選択項目につき、ユーザによる指定を促すための表示手段と、
上記表示手段に表示される選択項目を指定するための指定手段と、
上記グループ指示手段、上記記録指示手段並びに上記指定手段を介した操作に基づき、上記ディスク状記録媒体へのコンテンツの記録を制御する記録制御手段とを備え、
上記記録制御手段は、ディスク状記録媒体に記録されているコンテンツの再生停止時において、上記グループ指示手段と上記記録指示手段が同時に操作された場合、或いは上記グループ指示手段が操作された後、所定時間内に上記記録指示手段が操作された場合には、上記指定手段を介した操作により指定された選択項目に拘わらず、上記再生停止しているコンテンツの属するグループ内に上記記録すべきコンテンツを当該グループ終端位置から追加するように記録すること
を特徴とする記録再生装置。
【請求項８】
複数のコンテンツを集合化してディスク状記録媒体へ記録し、またディスク状記録媒体に集合化して記録された複数のコンテンツを再生する記録再生方法において、
ディスク状記録媒体へ記録すべきコンテンツを集合化させたグループを作成するためのグループキー並びに上記ディスク状記録媒体へのコンテンツの記録を指示するための記録指示キーを介した操作に基づき、上記ディスク状記録媒体へのコンテンツの記録を制御する記録制御ステップを有し、
上記記録制御ステップでは、ディスク状記録媒体に記録されているコンテンツの再生停止時において、上記グループキーと上記記録指示キーが同時に操作された場合、或いは上記グループキーが操作された後、所定時間内に上記記録指示キーが操作された場合には、上記再生停止しているコンテンツの属するグループ内に上記記録すべきコンテンツを当該グループ終端位置から追加するように記録すること
を特徴とする記録再生方法。
【請求項９】
上記記録制御ステップは、ディスク状記録媒体に記録されているコンテンツの再生停止時において、上記グループキーと上記記録指示キーが同時に操作された場合、或いは上記グループキーが操作された後、所定時間内に上記記録指示キーが操作された場合であって、かつ上記再生停止しているコンテンツがいかなるグループに属していない場合には、上記記録すべきコンテンツを新たに集合化させたグループを作成するように記録すること
を特徴とする請求項８記載の記録再生方法。
【請求項１０】
上記記録制御ステップでは、ディスク状記録媒体に記録されているコンテンツの再生停止時において、上記記録指示キーが操作された場合には、上記ディスク状記録媒体に記録されているコンテンツの終端位置から、上記記録すべきコンテンツを新たに集合化させたグループを作成するように記録すること
を特徴とする請求項８記載の記録再生方法。
【請求項１１】
上記記録制御ステップでは、ディスク状記録媒体に記録されているコンテンツの再生／記録一時停止時において、上記記録指示キーが操作された場合、或いは上記グループキーと上記記録指示キーが同時に操作された場合であって、かつ上記再生一時停止しているコンテンツがいかなるグループに属していない場合には、上記再生一時停止位置に上記記録すべきコンテンツを挿入しつつ新たにグループを作成するように記録すること
を特徴とする請求項８記載の記録再生方法。
【請求項１２】
上記再生一時停止しているコンテンツがグループに属している場合には、上記記録すべきコンテンツを当該グループ内における上記再生一時停止位置に挿入するように記録すること
を特徴とする請求項１１記載の記録再生方法。
【請求項１３】
上記グループキー並びに上記記録指示キーを介した操作に基づいて、表示内容を切り換える表示制御ステップをさらに有すること
を特徴とする請求項８記載の記録再生方法。
【請求項１４】
複数のコンテンツを集合化してディスク状記録媒体へ記録し、またディスク状記録媒体に集合化して記録された複数のコンテンツを再生する記録再生方法において、
少なくとも当該記録再生装置におけるコンテンツの記録を含む各動作に対応する選択項目につき、ユーザによる指定を促す選択項目表示ステップと、
ディスク状記録媒体へ記録すべきコンテンツを集合化させたグループを作成するためのグループキー並びに上記ディスク状記録媒体へのコンテンツの記録を指示するための記録指示キーを介した操作に基づき、上記ディスク状記録媒体へのコンテンツの記録を制御する記録制御ステップとを有し、
上記記録制御ステップでは、ディスク状記録媒体に記録されているコンテンツの再生停止時において、上記グループキーと上記記録指示キーが同時に操作された場合、或いは上記グループキーが操作された後、所定時間内に上記記録指示キーが操作された場合には、上記指定手段を介した操作により指定された選択項目に拘わらず、上記再生停止しているコンテンツの属するグループ内に上記記録すべきコンテンツを当該グループ終端位置から追加するように記録すること
を特徴とする記録再生方法。
【手続補正２】
【補正対象書類名】明細書
【補正対象項目名】００１７
【補正方法】変更
【補正の内容】
【００１７】
本発明は、上述した問題点を解決するために、ディスク状記録媒体へ記録すべきコンテンツを集合化させたグループを作成するためのグループキー並びに上記ディスク状記録媒体へのコンテンツの記録を指示するための記録指示キーを介した操作に基づき、ディスク状記録媒体へのコンテンツの記録を制御する際に、ディスク状記録媒体に記録されているコンテンツの再生停止時において、グループキーと記録指示キーが同時に操作された場合、或いは上記グループキーが操作された後、所定時間内に上記記録指示キーが操作された場合には、再生停止しているコンテンツの属するグループ内に記録すべきコンテンツを当該グループ終端位置から追加する。
【手続補正３】
【補正対象書類名】明細書
【補正対象項目名】００１８
【補正方法】変更
【補正の内容】
【００１８】
即ち、本発明を適用した記録再生装置は、複数のコンテンツを集合化してディスク状記録媒体へ記録し、またディスク状記録媒体に集合化して記録された複数のコンテンツを再生する記録再生装置において、ディスク状記録媒体へ記録すべきコンテンツを集合化させたグループの作成を指示するためのグループ指示手段と、ディスク状記録媒体へのコンテンツの記録を指示するための記録指示手段と、グループ指示手段並びに上記記録指示手段を介した操作に基づきディスク状記録媒体へのコンテンツの記録を制御する記録制御手段とを備え、記録制御手段は、ディスク状記録媒体に記録されているコンテンツの再生停止時において、グループ指示手段と記録指示手段が同時に操作された場合、或いはグループ指示手段が操作された後、所定時間内に記録指示手段が操作された場合には、再生停止しているコンテンツの属するグループ内に記録すべきコンテンツを当該グループ終端位置から追加する。
【手続補正４】
【補正対象書類名】明細書
【補正対象項目名】００１９
【補正方法】変更
【補正の内容】
【００１９】
また本発明を適用した記録再生装置は、複数のコンテンツを集合化してディスク状記録媒体へ記録し、またディスク状記録媒体に集合化して記録された複数のコンテンツを再生する記録再生装置において、ディスク状記録媒体へ記録すべきコンテンツを集合化させたグループを作成するためのグループ指示手段と、ディスク状記録媒体へのコンテンツの記録を指示するための記録指示手段と、少なくとも当該記録再生装置におけるコンテンツの記録を含む各動作に対応する選択項目につき、ユーザによる指定を促すための表示手段と、表示手段に表示される選択項目を指定するための指定手段と、グループ指示手段、記録指示手段並びに指定手段を介した操作に基づきディスク状記録媒体へのコンテンツの記録を制御する記録制御手段とを備え、記録制御手段は、ディスク状記録媒体に記録されているコンテンツの再生停止時において、グループ指示手段と記録指示手段が同時に操作された場合、或いはグループ指示手段が操作された後、所定時間内に記録指示手段が操作された場合には、指定手段を介した操作により指定された選択項目に拘わらず、再生停止しているコンテンツの属するグループ内に記録すべきコンテンツを当該グループ終端位置から追加する。
【手続補正５】
【補正対象書類名】明細書
【補正対象項目名】００２０
【補正方法】変更
【補正の内容】
【００２０】
即ち、本発明を適用した記録再生方法は、複数のコンテンツを集合化してディスク状記録媒体へ記録し、またディスク状記録媒体に集合化して記録された複数のコンテンツを再生する記録再生方法において、ディスク状記録媒体へ記録すべきコンテンツを集合化させたグループを作成するためのグループキー並びにディスク状記録媒体へのコンテンツの記録を指示するための記録指示キーを介した操作に基づき、ディスク状記録媒体へのコンテンツの記録を制御する記録制御ステップを有し、記録制御ステップでは、ディスク状記録媒体に記録されているコンテンツの再生停止時において、グループキーと記録指示キーが同時に操作された場合、或いはグループキーが操作された後、所定時間内に記録指示キーが操作された場合には、再生停止しているコンテンツの属するグループ内に記録すべきコンテンツを当該グループ終端位置から追加する。
【手続補正６】
【補正対象書類名】明細書
【補正対象項目名】００２１
【補正方法】変更
【補正の内容】
【００２１】
また、本発明を適用した記録再生方法は、複数のコンテンツを集合化してディスク状記録媒体へ記録し、またディスク状記録媒体に集合化して記録された複数のコンテンツを再生する記録再生方法において、少なくとも当該記録再生装置におけるコンテンツの記録を含む各動作に対応する選択項目につき、ユーザによる指定を促す選択項目表示ステップと、ディスク状記録媒体へ記録すべきコンテンツを集合化させたグループを作成するためのグループキー並びにディスク状記録媒体へのコンテンツの記録を指示するための記録指示キーを介した操作に基づき、ディスク状記録媒体へのコンテンツの記録を制御する記録制御ステップとを有し、記録制御ステップでは、ディスク状記録媒体に記録されているコンテンツの再生停止時において、グループキーと記録指示キーが同時に操作された場合、或いはグループキーが操作された後、所定時間内に記録指示キーが操作された場合には、指定手段を介した操作により指定された選択項目に拘わらず、再生停止しているコンテンツの属するグループ内に記録すべきコンテンツを当該グループ終端位置から追加する。
【手続補正７】
【補正対象書類名】明細書
【補正対象項目名】００２２
【補正方法】変更
【補正の内容】
【００２２】
本発明では、ディスク状記録媒体へ記録すべきコンテンツを集合化させたグループを作成するためのグループキー並びに上記ディスク状記録媒体へのコンテンツの記録を指示するための記録指示キーを介した操作に基づき、ディスク状記録媒体へのコンテンツの記録を制御する際に、ディスク状記録媒体に記録されているコンテンツの再生停止時において、グループキーと記録指示キーが同時に操作された場合、或いは上記グループキーが操作された後、所定時間内に上記記録指示キーが操作された場合には、再生停止しているコンテンツの属するグループ内に記録すべきコンテンツを当該グループ終端位置から追加する。